(57)【特許請求の範囲】
【請求項１】
端末とネットワークを介して接続される管理サーバであって、
前記端末から提供される活動データに基づき、生活習慣の分析結果を生成する活動データ分析部と、
前記分析結果に基づく罹患リスクと疾患進行度との少なくともいずれか一方と対応する提案サービスを含むサービス画面を生成するサービス画面生成部と、
を備え、
前記サービス画面生成部は、前記分析結果に含まれる結果項目のうち評価が所定数値未満である前記結果項目が存在し、且つ、前記分析結果に含まれるサービス生成用項目のうちレベルが第一の数値以上である前記サービス生成用項目が存在する場合に、前記サービス画面を生成し、
前記サービス生成用項目のうち前記レベルが第二の数値である前記サービス生成用項目が存在する場合に、生成された前記分析結果に基づいてアラートを生成するアラート生成部をさらに有する、管理サーバ。
【請求項２】
請求項１に記載の管理サーバにおいて、
活動データの各項目について算出された分析結果のうち評価の数値を含む分析結果画面を前記端末に提供する分析結果画面提供部と、
前記サービス画面生成部が前記サービス画面を生成した場合に、生成した前記サービス画面を前記端末に提供するサービス画面提供部と、を有する、
管理サーバ。
【請求項３】
請求項１または２記載の管理サーバにおいて、
前記第二の数値は前記第一の数値より大きい、管理サーバ。
【請求項４】
端末とネットワークを介して接続される管理サーバにおける健康サービス提供方法であって、
活動データ分析部が、前記端末から提供される活動データに基づき、生活習慣の分析結果を生成する工程と、
サービス画面生成部が、前記分析結果に基づく罹患リスクと疾患進行度との少なくともいずれか一方と対応する提案サービスを含むサービス画面を生成する工程と、
を有し、
前記サービス画面生成部が、前記分析結果に含まれる結果項目のうち評価が所定数値未満である前記結果項目が存在し、且つ、前記分析結果に含まれるサービス生成用項目のうちレベルが第一の数値以上である前記サービス生成用項目が存在する場合に、前記サービス画面を生成する工程と、
アラート生成部が、前記サービス生成用項目のうち前記レベルが第二の数値である前記サービス生成用項目が存在する場合に、生成された前記分析結果に基づいてアラートを生成する工程と、
を有する、健康サービス提供方法。
【請求項５】
請求項４に記載の健康サービス提供方法において、
前記管理サーバが、活動データの各項目について算出された分析結果のうち評価の数値を含む分析結果画面を事業所端末およびユーザ端末に提供する工程と、
前記管理サーバが、前記サービス画面を生成した場合に、生成した前記サービス画面を事業所端末およびユーザ端末に提供する工程と、を有する、
健康サービス提供方法。
【請求項６】
請求項４または請求項５に記載の健康サービス提供方法において、
前記第二の数値は前記第一の数値より大きい、健康サービス提供方法。
【発明の詳細な説明】
【技術分野】
【０００１】
本発明は、管理サーバおよび健康サービス提供方法に関する。
【背景技術】
【０００２】
従来、介護施設利用者や企業従業員の健康管理を行おうとする施設や企業が増えている。一方、施設や企業などが健康管理の促進をはかっても、利用者や従業員など各個人が毎日継続して健康データを計測するか否かは個人差があり、すべての人の健康データを毎日取得することは難しく、健康管理が難しいという課題があった。
【０００３】
また、仮に、健康データを毎日取得できたとしても、健康データの結果を反映した医療サービスの提供を即時受けることは難しいという問題があった。
【先行技術文献】
【特許文献】
【０００４】
【特許文献１】特開２０１３−２１２３１５号公報
【発明の概要】
【発明が解決しようとする課題】
【０００５】
例えば、特許文献１には、自身の健康データを計測するウェアラブルデバイスが開示されている。
【０００６】
しかし、特許文献１は、利用者から取得した、健康データの結果を反映した健康サービスを提供する健康サービス提供システムについて意図しているものではない。
【０００７】
本発明の目的は、利用者から取得した健康データの結果を反映した健康サービスのメニューを提供可能な健康サービスを提供することである。
【課題を解決するための手段】
【０００８】
本願において開示される発明のうち、代表的なものの概要を簡単に説明すれば、次の通りである。
【０００９】
本発明の一実施の形態は、ユーザ端末と、事業所端末と、ビッグデータ記憶部と、ユーザ端末および事業所端末およびビッグデータ記憶部とネットワークを介して無線通信接続される管理サーバであって、表示部と通信部とセンサ部と撮像部とを有する計測装置と接続されたユーザ端末から活動データを含むユーザ情報を取得および記憶し、ユーザ情報記憶部に記憶されているユーザ情報および活動データと、ビッグデータ記憶部に記憶されている平均数値情報とに基づいて、活動データの各項目に対応する結果項目ごとに評価を算出し、算出した評価に基づいて分析結果を生成する活動データ分析部を有する。また、生成された分析結果に基づいて分析結果画面を生成する分析結果画面生成部を有する。また、活動データ分析部が生成した分析結果に含まれる結果項目のうち評価が所定数値未満である結果項目が存在し、且つ、分析結果に含まれるサービス生成用項目のうちレベルが第一の数値以上であるサービス生成用項目が存在する場合に、生成された分析結果に基づいてサービス画面を生成するサービス画面生成部を有する。また、サービス生成用項目のうちレベルが第二の数値であるサービス生成用項目が存在する場合に、生成された分析結果に基づいてアラートを生成するアラート生成部を有する。
【発明の効果】
【００１０】
本発明によれば、利用者から取得した健康データを反映した健康サービスのメニューを提供することにより、通院や健康診断に伴う時間や労力のコストを低減できる。
【図面の簡単な説明】
【００１１】
【図１】本発明の一実施の形態における健康サービス提供システムの構成例の概要を示す図である。
【図２】本発明の一実施の形態における管理サーバのユーザ情報記憶部に記憶されているユーザ情報および活動データの概要を示す図である。
【図３】本発明の一実施の形態における管理サーバの事業所情報記憶部に記憶されている事業所情報および分析結果の概要を示す図である。
【図４】本発明の一実施の形態における全体処理の概要を示す図である。
【図５】本発明の一実施の形態におけるユーザ情報取得処理およびユーザ情報記憶処理の概要を示す図である。
【図６】本発明の一実施の形態における事業所情報取得処理および事業所情報記憶処理の概要を示す図である。
【図７】本発明の一実施の形態における計測装置の概要を示す図である。
【図８】本発明の一実施の形態における計測装置からのデータ取得処理の概要を示す図である。
【図９】本発明の一実施の形態における平均数値情報の分析結果等との関係性についての概要を示す図である。
【図１０】本発明の一実施の形態における活動データ分析処理の概要を示す図である。
【図１１】本発明の一実施の形態における分析結果画面の概念を示す図である。
【図１２】本発明の一実施の形態における分析結果画面生成処理および分析結果画面記憶処理の概要を示す図である。
【図１３】本発明の一実施の形態における分析結果画面提供処理の構成例の概要を示す図である。
【図１４】本発明の一実施の形態におけるサービス画面の概要を示す図である。
【図１５】本発明の一実施の形態におけるサービス画面生成処理およびサービス画面記憶処理の概要を示す図である。
【図１６】本発明の一実施の形態におけるサービス画面提供処理の構成例の概要を示す図である。
【図１７】本発明の一実施の形態におけるアラートの概要を示す図である。
【図１８】本発明の一実施の形態におけるアラート生成処理の概要を示す図である。
【図１９】本発明の一実施の形態におけるアラート提供処理の概要を示す図である。
【発明を実施するための形態】
【００１２】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態における健康サービス提供システムの構成例の概要を示す図である。
【００１３】
図１に示されるように、健康サービス提供システムは、計測装置１００と、計測装置１００と接続されるユーザ端末１１０と、事業所端末１９０と、ビッグデータ記憶部１３５と、ユーザ端末１１０および事業所端末１９０およびビッグデータ記憶部１３５とネットワークを介して無線通信接続される管理サーバ１２０とを有する。
【００１４】
すなわち、管理サーバ１２０は、ユーザ端末１１０と事業所端末１９０とビッグデータ記憶部１３５とネットワークを介して接続される。また、計測装置１００は、ユーザ端末１１０と無線通信接続される。
【００１５】
管理サーバ１２０は、ユーザ情報記憶部１３０と、事業所情報記憶部１３１と、分析結果記憶部１３２と、分析結果画面記憶部１３３と、サービス画面記憶部１３４と、活動データ分析部１４０と、分析結果画面生成部１５０と、分析結果画面提供部１６０と、サービス画面生成部１７０と、サービス画面提供部１８０と、アラート生成部１８１と、アラート提供部１８２と、を有する。
【００１６】
ユーザ情報記憶部１３０には、ユーザ情報２００（後述、図２）が記憶されている。事業所情報記憶部１３１には、事業所情報３００（後述、図３）が記憶されている。分析結果記憶部１３２には、分析結果３１０（後述、図３）が記憶されている。なお、事業所情報記憶部１３１は、分析結果記憶部１３２と同一のデータベースとしてもよい。
【００１７】
分析結果画面記憶部１３３には、分析結果画面１１００（後述、図１１）が記憶されている。サービス画面記憶部１３４には、サービス画面１４００（後述、図１２）が記憶されている。
【００１８】
活動データ分析部１４０は、表示部１０１と通信部１０２とセンサ部１０３と撮像部１０４とを有する計測装置１００と接続されたユーザ端末１１０から活動データ２１０を含むユーザ情報２００を取得し、記憶する。
【００１９】
また、活動データ分析部１４０は、ユーザ情報記憶部１３０に記憶されているユーザ情報２００および活動データ２１０と、ビッグデータ記憶部１３５に記憶されている平均数値情報９００とに基づいて、活動データ２１０の各項目に対応する結果項目４００ごとに評価４１０を算出する。
【００２０】
また、活動データ分析部１４０は、算出した評価４１０に基づいて分析結果３１０を生成する。なお、平均数値情報９００および評価４１０の詳細は後述する。
【００２１】
分析結果画面生成部１５０は、生成された分析結果３１０に基づいて分析結果画面１１００（後述、図１１）を生成する。
【００２２】
分析結果画面提供部１６０は、生成された分析結果画面１１００をユーザ端末１１０および事業所端末１９０に提供する。
【００２３】
サービス画面生成部１７０は、評価４１０が所定数値未満である結果項目４００が存在し、且つ、レベル５１０が第一の数値以上であるサービス生成用項目５００が存在する場合に、分析結果３１０に基づいてサービス画面１４００を生成する。なお、第一の数値は、例えば、「２」とできる。
【００２４】
サービス画面提供部１８０は、サービス画面生成部１７０がサービス画面１４００を生成した場合に、生成したサービス画面１４００をユーザ端末１１０および事業所端末１９０に提供する。
【００２５】
アラート生成部１８１は、サービス生成用項目５００のうちレベル５１０が第一の数値より大きい第二の数値であるサービス生成用項目５００が存在する場合に、生成された分析結果３１０に基づいてアラート１７００を生成する。なお、第二の数値は、例えば「５」とする。
【００２６】
アラート提供部１８２は、アラート生成部１８１がアラート１７００を生成した場合に、生成したアラート１７００を事業所端末１９０およびユーザ端末１１０に提供する。
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２７】
図２（ａ）に示されるように、ユーザ情報２００は、ユーザＩＤと、氏名と、連絡先と、計測装置ＩＤと、活動データ２１０などのデータ項目により構成される。
【００２８】
ユーザＩＤは、管理サーバ１２０が、ユーザを識別するための符号を示す。氏名は、ユーザの氏名を示す。連絡先は、ユーザの連絡先を示す。活動データ２１０は、ユーザ端末１１０が計測装置１００から受信することで取得するデータの内容を示す（詳細は後述する）。
【００２９】
図２（ｂ）は、本発明の一実施の形態における管理サーバ１２０のユーザ情報記憶部１３０に記憶されているユーザ情報２００に含まれる活動データ２１０の構成例の概要を示す図である。活動データ２１０は、取得日、基本データ、血圧、心拍数、血糖値、歩数、食事画像等の情報を示す。
【００３０】
「取得日」は、管理サーバ１２０が、ユーザから活動データ２１０の入力を受け付けた日を示す。
【００３１】
「基本データ」は、ユーザ端末１１０がユーザから受け付けたユーザの年齢や身長、体重等の情報を示す。基本データを取得することにより、管理サーバ１２０は、後述する活動データ分析処理におけるビッグデータ記憶部１３５から平均数値情報９００を抽出する際の基準とすることができる。
【００３２】
また、基本データを取得し活動データ分析処理を行うことにより、管理サーバ１２０は、分析結果３１０の結果項目４００に含まれる「体脂肪率」等の評価４１０の算出と、「罹患リスク」、「疾患進行度」のレベル５１０の算出を行うことができる。
【００３３】
「血圧」は、ユーザ端末１１０が計測装置１００から受け付けたユーザの最高血圧や最低血圧等の情報を示す。血圧を取得し、後述する活動データ分析処理を行うことにより、管理サーバ１２０は、分析結果３１０の結果項目４００に含まれる、「ストレス度」等の評価４１０の算出と、「罹患リスク」、「疾患進行度」のレベル５１０の算出を行うことができる。
【００３４】
「心拍数」は、ユーザ端末１１０が計測装置１００から受け付けたユーザの心拍数の情報を示す。心拍数を取得し、後述する活動データ分析処理を行うことにより、管理サーバ１２０は、分析結果３１０の結果項目４００に含まれる、「ストレス度」等の評価４１０の算出と、「罹患リスク」、「疾患進行度」のレベル５１０の算出を行うことができる。
【００３５】
「歩数」は、ユーザ端末１１０が計測装置１００から受け付けたユーザの歩数の情報を示す。歩数を取得し、後述する活動データ分析処理を行うことにより、管理サーバ１２０は、分析結果３１０の結果項目４００に含まれる、「カロリー消費度」等の評価４１０の算出と、「罹患リスク」、「疾患進行度」のレベル５１０の算出を行うことができる。
【００３６】
「食事画像」は、ユーザ端末１１０が計測装置１００から受け付けた食事の画像情報を示す。食事画像を取得し、後述する活動データ分析処理を行うことにより、管理サーバ１２０は、分析結果３１０の結果項目４００に含まれる、「カロリー消費度」等の評価４１０の算出と、「罹患リスク」、「疾患進行度」のレベル５１０の算出を行うことができる。
【００３７】
なお、食事画像は、計測装置１００が有する撮像部１０４またはユーザ端末１１０によって撮影された、ユーザが摂取する食事の内容を表す。管理サーバ１２０は、食事画像に映る食材の種類や容量等を周知手段である画像解析処理により判定し、ユーザが摂取したカロリーや糖分、脂肪量等を算出する。
＜事業所情報記憶部＞
図３（ａ）は、本発明の一実施の形態における管理サーバ１２０の事業所情報記憶部１３１に記憶されている事業所情報３００の構成例の概要を示す図である。
【００３８】
図３（ａ）に示されるように、事業所情報３００は、事業所ＩＤと、事業所名と、連絡先と、所属ユーザＩＤと、分析結果３１０などのデータ項目により構成される。
【００３９】
事業所ＩＤは、管理サーバ１２０が、事業所を識別するための符号を示す。事業所名は、事業所の名称を示す。所属ユーザＩＤは、事業所に例えば、会員登録等によって所属しているユーザのユーザＩＤを示す。分析結果３１０は、活動データ分析部１４０によって生成されるデータの内容を示す（詳細は後述する）。
【００４０】
図３（ｂ）は、本発明の一実施の形態における管理サーバ１２０の事業所情報記憶部１３１に記憶されている事業所情報３００に含まれる分析結果３１０の構成例の概要を示す図である。分析結果３１０は、結果項目４００およびサービス生成用項目５００から構成される。
【００４１】
結果項目４００は、生成日、体脂肪率、ストレス度、カロリー消費度、等を含む。また、結果項目４００の各項目は、算出された評価４１０の数値を有する。評価４１０は、例えば０から１００までの数値で示され、「１００」が最も優良であるとする。すなわち、評価４１０は、その数値が大きいほどユーザの健康状態が優良であることを示す。
【００４２】
サービス生成用項目５００は、罹患リスク、疾患進行度を含む。また、サービス生成用項目５００の各項目は、算出されたレベル５１０の数値を有する。レベル５１０は、例えば１から５までの数値で示され、「１」が最も優良であるとする。すなわち、レベル５１０は、その数値が小さいほどユーザの健康状態が優良であることを示す。
【００４３】
サービス生成用項目５００のレベル５１０は、結果項目４００の各項目についての評価４１０に基づいて算出される。例えば、結果項目４００の「体脂肪率、ストレス度、カロリー消費度」についての評価４１０が「８０、８０、８０」の場合、サービス生成用項目５００の「罹患リスク、疾患進行度」のレベル５１０は、「１、１」のように示される。
【００４４】
また、レベル５１０は、後述する処理において取得データ分析部１４０がサービス画面１４００を提供するか否かを判定する際の基準となる。さらに、レベル５１０は、提案サービスメニューの内容が決定される際の基準となる。
【００４５】
提案サービスメニューは、ユーザの健康問題改善を勧めるための提案サービスの内容を示す。提案サービスメニューは、事業所端末１９０およびユーザ端末１１０に提供されるサービス画面１４００（詳細は後述する）に表示される。
【００４６】
また、提案サービスメニューは、サービス生成用項目５００の種類およびサービス生成用項目５００のレベル５１０の数値の大きさに応じて決定される。
【００４７】
例えば、サービス生成用項目５００のうち「疾患進行度」のレベル５１０の数値が「３」の場合、提案サービスメニューは、「訪問看護」や「見守りサービス」という内容で決定される。あるいは、サービス生成用項目５００のうち「罹患リスク」のレベル５１０の数値が「２」の場合、提案サービスメニューは、「オンライン問診」や「薬配達」という内容で決定される。
【００４８】
上記の他、提案サービスメニューは、ＡＩ問診、リハビリ、鍼灸、食事配達、マッサージ、ＡＩ食事管理、レシピ提供、往診、アラート送信、救急診療等を含む。これらがレベル５１０の大きさとどのように相関して決定されるかは、周知の医療知識および汎用情報等により任意に設定できる。
【００４９】
なお、上記提案サービスメニューのうち「アラート送信」については、レベル５１０の数値が第二の数値（例えば「５」）の場合にのみ、後述する処理により提供される。
【００５０】
また、「見守りサービス」については、サービス生成用項目５００の種類およびサービス生成用項目５００のレベル５１０の数値の大きさに応じることなく、常に提供されるサービスとしても良い。
【００５１】
「生成日」は、管理サーバ１２０が、分析結果３１０を生成した日を示す。
【００５２】
「体脂肪率」は、後述する活動データ分析処理を行うことにより算出されたユーザの体脂肪率についての評価を示す。具体的には、評価４１０の数値によって示される。
【００５３】
「ストレス度」は、後述する活動データ分析処理を行うことにより算出されたユーザのストレスについての評価を示す。具体的には、評価４１０の数値によって示される。
【００５４】
「カロリー消費度」は、後述する活動データ分析処理を行うことにより算出されたユーザのカロリー消費についての評価を示す。具体的には、評価４１０の数値によって示される。
【００５５】
「罹患リスク」は、ユーザが新しい病気等に罹患しているリスクについてのレベルを示す。具体的には、罹患リスクはレベル５１０の数値によって示される。
【００５６】
罹患リスクは、結果項目４００の種類、およびその評価４１０の数値、またユーザの基本データとの組み合わせ、および過去の活動データ２１０からの経緯等によって人工知能（ＡＩ）により自動的に判定される。
【００５７】
例えば、算出された結果項目４００の「体脂肪率、ストレス度」の評価４１０が「３０、２０」の場合、ユーザが新しい病気等を罹患した可能性があると判定され、罹患リスクは、そのレベル５１０が「２」等と判定される。
【００５８】
「疾患進行度」は、ユーザが有している疾患の進行度についてのレベルを示す。具体的には、疾患進行度はレベル５１０の数値によって示される。
【００５９】
疾患進行度は、結果項目４００の種類、およびその評価４１０の数値、またユーザの基本データとの組み合わせ、および過去の活動データ２１０からの経緯等によって人工知能（ＡＩ）により自動的に判定される。
【００６０】
例えば、算出された結果項目４００の「２０年１月２５日の体脂肪率」の評価４１０が「８０」から、「２０年２月２５日の体脂肪率」の評価４１０が「５０」へと減少した場合、ユーザの疾患が少し進行したと判定され、疾患進行度は、そのレベル５１０が「２」等と判定される。
＜全体処理＞
図４は、本発明の一実施の形態における全体処理の概要を示す図である。
【００６１】
まず、Ｓ４０１にて、管理サーバ１２０はユーザ情報取得処理およびユーザ情報記憶処理（図５で後述する）を行う。
【００６２】
次に、Ｓ４０２にて、管理サーバ１２０は事業所情報取得処理および事業所情報記憶処理（図６で後述する）を行う。
【００６３】
次に、Ｓ４０３にて、管理サーバ１２０は活動データ分析処理（図９、図１０で後述する）を行う。
【００６４】
次に、Ｓ４０４にて、管理サーバ１２０は分析結果画面生成処理および分析結果画面記憶処理（図１１、図１２で後述する）を行う。
【００６５】
次に、Ｓ４０５にて、管理サーバ１２０は分析結果画面提供処理（図１３で後述する）を行う。
【００６６】
次に、ユーザがサービス画面を生成すると判定した場合、Ｓ４０６にて、管理サーバ１２０はサービス画面生成処理およびサービス画面記憶処理（図１４、図１５で後述する）を行う。
【００６７】
次に、Ｓ４０７にて、管理サーバ１２０はサービス画面提供処理（図１６で後述する）を行う。
【００６８】
次に、ユーザがアラートを生成すると判定した場合、Ｓ４０８にて、管理サーバ１２０はアラート生成処理およびアラート提供処理（図１７〜図１９で後述する）を行う。
＜ユーザ情報記憶処理＞
図５（ａ）は、本発明の一実施の形態におけるユーザ情報記憶処理の概要を示す図である。以下、管理サーバ１２０が、ユーザ情報２００を記憶する方法について説明する。
【００６９】
まず、Ｓ５０１にて、管理サーバ１２０は、ユーザ情報入力画面をユーザ端末１１０に提供する。次に、Ｓ５０２にて、ユーザ端末１１０は、ユーザ情報入力画面をディスプレイに表示させる。
【００７０】
その後、ユーザが本発明に係るシステムを初めて利用する場合、Ｓ５０３にて、ユーザ端末１１０はユーザ情報２００の入力をユーザから受け付ける。次に、Ｓ５０４にて、ユーザ端末１１０は、Ｓ５０３で入力を受け付けたユーザ情報２００を管理サーバ１２０に送信する。
【００７１】
次に、Ｓ５０５にて、管理サーバ１２０は、Ｓ５０４で送信されたユーザ情報２００を受信することにより、ユーザ情報２００を取得する。次に、Ｓ５０６にて、管理サーバ１２０は、受信したユーザ情報２００にユーザＩＤを付して、Ｓ５０３にて入力を受け付けたユーザ情報２００をユーザ情報記憶部１３０に記憶する。
＜ユーザ情報取得処理＞
図５（ｂ）は、本発明の一実施の形態におけるユーザ情報取得処理の概要を示す図である。以下、管理サーバ１２０が、ユーザ情報２００を取得する方法について説明する。
【００７２】
ユーザが本発明に係るシステムを２回目以降利用する場合、Ｓ５０７にて、ユーザ端末１１０はユーザＩＤの入力をユーザから受け付ける。なお、ユーザＩＤは、ユーザ情報２００に含まれる。
次に、Ｓ５０８にて、ユーザ端末１１０は、Ｓ５０７で入力を受け付けたユーザＩＤを管理サーバ１２０に送信する。
【００７３】
その後、Ｓ５０９にて、管理サーバ１２０は、Ｓ５０８で送信されたユーザＩＤのキーに対応するユーザ情報２００をユーザ情報記憶部１３０から取得する。
＜事業所情報記憶処理＞
図６（ａ）は、本発明の一実施の形態における事業所情報記憶処理の概要を示す図である。以下、管理サーバ１２０が、事業所情報３００を記憶する方法について説明する。
【００７４】
まず、Ｓ６０１にて、管理サーバ１２０は、事業所情報入力画面を事業所端末１９０に提供する。次に、Ｓ６０２にて、事業所端末１９０は、事業所情報入力画面をディスプレイに表示させる。
【００７５】
その後、事業所が本発明に係るシステムを初めて利用する場合、Ｓ６０３にて、事業所端末１９０は事業所情報３００の入力を事業所から受け付ける。次に、Ｓ６０４にて、事業所端末１９０は、Ｓ６０３で入力を受け付けた事業所情報３００を管理サーバ１２０に送信する。
【００７６】
次に、Ｓ６０５にて、管理サーバ１２０は、Ｓ６０４で送信された事業所情報３００を受信することにより、事業所情報３００を取得する。次に、Ｓ６０６にて、管理サーバ１２０は、受信した事業所情報３００に事業所ＩＤを付して、Ｓ６０３にて入力を受け付けた事業所情報３００を事業所情報記憶部１３１に記憶する。
＜事業所情報取得処理＞
図６（ｂ）は、本発明の一実施の形態における事業所情報取得処理の概要を示す図である。以下、管理サーバ１２０が、事業所情報３００を取得する方法について説明する。
【００７７】
事業所が本発明に係るシステムを２回目以降利用する場合、Ｓ６０７にて、事業所端末１９０は事業所ＩＤの入力を事業所から受け付ける。なお、事業所ＩＤは、事業所情報３００に含まれる。
次に、Ｓ６０８にて、事業所端末１９０は、Ｓ６０７で入力を受け付けた事業所ＩＤを管理サーバ１２０に送信する。
【００７８】
その後、Ｓ６０９にて、管理サーバ１２０は、Ｓ６０８で送信された事業所ＩＤのキーに対応する事業所情報３００を事業所情報記憶部１３１から取得する。
＜計測装置＞
図７は、本発明の一実施の形態における計測装置１００の概要を示す図である。
【００７９】
図７（ａ）で示されるように、計測装置１００は、表示部１０１と通信部１０２とセンサ部１０３と撮像部１０４とを有する。
【００８０】
通信部１０２は、図７（ｂ）で示されるように、ユーザ端末１１０とリンク接続しデータを送信する。リンク接続は、例えばＢｌｕｅｔｏｏｔｈ（登録商標）等の近距離波による無線通信接続により行われる。
【００８１】
センサ部３３０は、計測装置１００を装着するユーザの体温、心拍数、加速度、歩数等の情報を活動データ２１０として取得する。
【００８２】
なお、計測装置１００の消費電力は、一般のスマートフォン端末等に比べて著しく少ない。計測装置１００は専用のバッテリーまたは電池により駆動し、バッテリーの充電および電池交換を約５年間行わなくてもよい。また計測装置１００は、寿命を延ばすための電池駆動に加えて、ソーラーパネル部を有するようにしても良い。
【００８３】
また、計測装置１００は、通信部１０２を２系統有する構成とできる。すなわち、計測装置１００は、管理サーバ１２０とネットワークを介して無線接続されることもできる。これにより、ユーザは、ユーザ端末１００が破壊した時でも、計測装置１００を利用して本発明に係る効果を得ることができる。なお、この通信部１０２は、その他、外部のユーザーインターフェイスにも接続でき各種センサ等の拡張が可能である。
【００８４】
上記特性により、ユーザは、自然災害時に充電ができない場合や、電波を利用できない場合でも、消費電力の少ない計測装置１００によって、電波を利用せずに管理サーバ１２０とネットワークを介して無線通信接続を行える。
【００８５】
撮像部１０４は、計測装置１００を装着した状態で、例えば食事の際の被写体を撮影するカメラである。撮像部１０４が撮影した食事画像は、例えばｊｐｇ等の画像データとして活動データ２１０に含まれ、一時保存される。
＜データ取得処理＞
図８は、本発明の一実施の形態における計測装置１００からのデータ取得処理の概要を示す図である。
【００８６】
まず、Ｓ８０１にて、計測装置１００は、リンク状態がＯｎであるか否かを判定する。リンク状態がＯｎである場合、計測装置１００は、全行程を終了する。
リンク状態がＯｆｆである場合、計測装置１００は、工程Ｓ８０２へ進行する。
【００８７】
Ｓ８０２にて、計測装置１００は、ユーザ端末１１０とリンク接続する。具体的には、計測装置１００が有する通信部１０２を介して、計測装置１００は、ユーザ端末１１０とリンク接続を行う。
【００８８】
次に、Ｓ８０３にて、計測装置１００は、通信装置ＩＤをユーザ端末１１０に送信する。次に、Ｓ８０４にて、計測装置１００は、リンク状態を「Ｏｎ」に更新する。その後、Ｓ８０５にて、計測装置１００は、Ｓ８０５で更新したリンク状態をユーザ端末１１０に送信する。
【００８９】
Ｓ８０６にて、計測装置１００は、前回リンク状態をＯｆｆにした時以降の活動データ２１０をユーザ端末１１０に送信する。
【００９０】
次に、Ｓ８０７にて、ユーザ端末１１０は、Ｓ８０３で送信された通信装置ＩＤと、Ｓ８０５で送信されたリンク状態と、Ｓ８０６で送信された活動データ２１０とを、ユーザ情報２００として取得する。
【００９１】
次に、Ｓ８０８にて、ユーザ端末１１０は、Ｓ８０７で取得したユーザ情報２００を管理サーバ１２０に送信する。
【００９２】
次に、Ｓ８０９にて、管理サーバ１２０は、Ｓ８０８で送信されたユーザ情報２００を取得する。その後、Ｓ８１０にて、管理サーバ１２０は、Ｓ８０９で取得したユーザ情報２００を、ユーザ情報記憶部１３０に記憶されているユーザ情報２００に更新して記憶する。
【００９３】
また、Ｓ８０６の後、Ｓ８１１にて、計測装置１００は、計測装置１００を装着しているユーザが所望するタイミングでリンク状態をＯｆｆにする。
【００９４】
なお、本実施例の全行程のうち任意の過程において、ユーザがユーザ端末１１０と計測装置１００とのリンク接続を切る場合、計測装置１００は、リンク状態を「Ｏｆｆ」に更新し、更新したリンク状態をユーザ端末１１０に送信する。
＜平均数値情報の分析結果等との関係性＞
図９は、本発明の一実施の形態における平均数値情報９００の分析結果３１０等との関係性についての概要を示す図である。
【００９５】
図９に示されるように、平均数値情報９００は、活動データ２１０の各項目についてユーザの基本データに含まれる例えば「性別、年齢、身長」等を抽出基準として、ビッグデータ記憶部１３５から抽出される平均値を示す。
【００９６】
例えば、ユーザの基本データが「男性、５５歳、１６０ｃｍ」の時、平均数値情報９００は、ビッグデータ記憶部１３５から「男性、５５歳、１６０ｃｍ」と同一の条件をみたす、血圧、心拍数等の項目ごとの平均値を抽出することにより取得される。
【００９７】
また、図９に示されるように、分析結果３１０は、活動データ２１０の各項目について、ユーザの活動データ２１０と平均数値情報９００に含まれる平均値とを比較することによって得られる。すなわち、活動データ２１０の各項目について、ユーザの活動データ２１０が、平均数値情報９００に含まれる平均値と比較して優れた数値であるか否かに応じて、分析結果３１０の評価４１０は、高い数値であるか否かが決定する。
【００９８】
例えば、ユーザの「歩数」の活動データ２１０が「７０００歩」であって、平均数値情報９００が「５０００歩」である場合、ユーザの「歩数」についての評価４１０は「６０」として示される。なお、評価４１０は、１から９９までの数値とできるが特に限定されない。また、評価４１０の算出式は、特に限定されない。
【００９９】
また、図９に示されるように、分析結果画面１１００は、分析結果３１０に基づいて生成される。サービス画面１４００は、評価４１０が所定数値、例えば５０未満である結果項目４００、またはレベル５１０が所定数値、例えば２以上であるサービス生成用項目５００に基づいて生成される。
【０１００】
このように、ユーザが有する基本データと同一条件についての平均値である平均数値情報９００をビッグデータ記憶部１３５から抽出し、ユーザの行動に由来する活動データ２１０と比較することで、管理サーバ１２０は、ユーザの健康状態が平均からどの程度優れているかを分析できる。
【０１０１】
また、評価４１０が所定数値、例えば５０未満、である項目について、サービス画面１４００を生成することにより、健康診断等の実施に伴う時間や労力を必要とせずに、管理サーバ１２０は、ユーザの健康問題を把握して最適な問題解決方法を提案できる。
＜活動データ分析処理＞
図１０は、本発明の一実施の形態における活動データ分析処理の概要を示す図である。
【０１０２】
まず、Ｓ１００１にて、管理サーバ１２０の活動データ分析部１４０は、ユーザ情報記憶部１３０からユーザ情報２００を抽出する。
【０１０３】
次に、Ｓ１００２にて、活動データ分析部１４０は、Ｓ１００１で抽出したユーザ情報２００に含まれるユーザＩＤに対応する活動データ２１０を抽出する。
【０１０４】
次に、Ｓ１００３にて、活動データ分析部１４０は、Ｓ１００２で抽出した活動データ２１０の各項目についての平均数値情報９００をビッグデータ記憶部１３５から抽出する。
【０１０５】
次に、Ｓ１００４にて、活動データ分析部１４０は、Ｓ１００３で抽出した平均数値情報９００に基づいて、活動データ２１０の各項目に対応する結果項目４００ごとに評価４１０を算出する。より具体的には、活動データ分析部１４０は、Ｓ１００２で抽出した活動データ２１０の各項目について、当該活動データ２１０の数値と、Ｓ１００３で抽出した平均数値情報９００の数値とを比較することによって、評価４１０を算出する。
【０１０６】
なお、活動データ分析部１４０は、活動データ２１０の各項目について、当該活動データ２１０の数値が平均数値情報９００の数値と比較して優れた数値であるか否かに応じて、評価４１０の数値を決定する。
【０１０７】
次に、Ｓ１００５にて、活動データ分析部１４０は、Ｓ１００４で算出した評価４１０に基づいて、分析結果３１０を生成する。活動データ分析部１４０は、活動データ２１０の各項目について、算出した評価４１０の数値と、ユーザＩＤと、生成日等とを紐付けて分析結果３１０を生成する。
【０１０８】
次に、Ｓ１００６にて、活動データ分析部１４０は、Ｓ１００５で生成した分析結果３１０を分析結果記憶部１３２に記憶する。
【０１０９】
次に、Ｓ１００７にて、活動データ分析部１４０は、分析結果画面１１００の生成を分析結果画面生成部１５０に要求する。
【０１１０】
次に、Ｓ１００８にて、活動データ分析部１４０は、Ｓ１００５で生成した分析結果３１０に含まれる項目のうち評価４１０が所定数値、例えば５０未満、である結果項目４１０が存在し、且つ、分析結果３１０に含まれるサービス生成用項目５００のうちレベル５１０が第一の数値（例えば、「２」）以上であるサービス生成用項目５００が存在するか否かを判定する。なお、所定数値は特に限定されない。
【０１１１】
Ｓ１００５で生成した分析結果３１０に含まれる項目のうち評価４１０が所定数値、例えば５０未満、である結果項目４１０が存在しない場合、または、分析結果３１０に含まれるサービス生成用項目５００のうちレベル５１０が第一の数値（例えば、「２」）以上であるサービス生成用項目５００が存在しない場合、活動データ分析部１４０は、本工程を終了する。
【０１１２】
Ｓ１００５で生成した分析結果３１０に含まれる項目のうち評価４１０が所定数値、例えば５０未満、である結果項目４１０が存在し、且つ、分析結果３１０に含まれるサービス生成用項目５００のうちレベル５１０が第一の数値（例えば、「２」）以上であるサービス生成用項目５００が存在する場合、Ｓ１００９にて、活動データ分析部１４０は、サービス画面１４００の生成をサービス画面生成部１７０に要求する。
【０１１３】
次に、Ｓ１０１０にて、活動データ分析部１４０は、Ｓ１００５で生成した分析結果３１０に含まれる項目のうちレベル５１０が第二の数値（例えば、「５」）であるサービス生成用項目５１０が存在するか否かを判定する。
【０１１４】
Ｓ１００５で生成した分析結果３１０に含まれる項目のうちレベル５１０が第二の数値（例えば、「５」）であるサービス生成用項目５１０が存在しない場合、活動データ分析部１４０は、本工程を終了する。
【０１１５】
Ｓ１００５で生成した分析結果３１０に含まれる項目のうちレベル５１０が第二の数値（例えば、「５」）であるサービス生成用項目５１０が存在する場合、Ｓ１０１１にて、活動データ分析部１４０は、アラート１７００の生成をアラート生成部１８１に要求する。
【０１１６】
このように、ユーザが有する年齢や身長といった基本データと同一条件での平均値である平均数値情報９００をビッグデータ記憶部１３５から抽出し、ユーザの行動に由来する活動データ２１０と比較することで、管理サーバ１２０は、ユーザの日常の健康状態がどの程度優れているかを分析できる。
＜分析結果画面＞
図１１は、本発明の一実施の形態における分析結果画面１１００の概念を示す図である。
【０１１７】
図１１（ａ）に示されるように、分析結果画面１１００は、スコア表示領域１１１０と、第１チャート表示領域１１２０とを含む。
【０１１８】
スコア表示領域１１１０は、活動データ２１０の各項目について算出された分析結果３１０のうち評価４１０の数値等を表示させる。なお、スコア表示領域１１１０が表示させる評価４１０の数値等の表示のさせ方については特に限定されない。
【０１１９】
第１チャート表示領域１１２０は、活動データ２１０の各項目について算出された分析結果３１０のうち評価４１０の数値等を、例えば折れ線グラフや、ヒストグラム等のチャートにより表示させる。なお、第１チャート表示領域１１２０が表示させる評価４１０の数値等のチャート表示のさせ方については特に限定されない。
【０１２０】
また、図１１（ｂ）に示されるように、分析結果画面１１００は、第２チャート表示領域１１３０のみを含むものとしてもよい。この場合、分析結果画面１１００は、スコア表示領域１１１０を含まないものとできる。
【０１２１】
第２チャート表示領域１１３０は、活動データ２１０の各項目について算出された分析結果３１０のうち評価４１０の数値等を、第１チャート表示領域１１２０で表示されたチャートとは異なる形式の、例えばレーダーチャート等のチャートにより表示させる。なお、第２チャート表示領域１１３０が表示させる評価４１０の数値等のチャート表示のさせ方については特に限定されない。
【０１２２】
このようにして、管理サーバ１２０は、ユーザの通院や健康診断に伴う時間や労力のコストを必要とせずに、ユーザの健康状態を把握させることができる。また、分析結果画面１１００が複数の異なるチャート表示領域を有することで、ユーザは、より多角的に健康状態を把握できる。
＜分析結果画面生成処理および分析結果画面記憶処理＞
図１２は、本発明の一実施の形態における分析結果画面生成処理および分析結果画面記憶処理の概要を示す図である。
【０１２３】
まず、Ｓ１２０１にて、管理サーバ１２０の分析結果画面生成部１５０は、Ｓ１００７で要求された分析結果画面１１００の生成リクエストを受け付け、生成に要する分析結果３１０を分析結果記憶部１３２から抽出する。
【０１２４】
次に、Ｓ１２０２にて、分析結果画面生成部１５０は、Ｓ１２０１で抽出した分析結果３１０に基づいて、分析結果画面１１００を生成する。
【０１２５】
次に、Ｓ１２０３にて、分析結果画面生成部１５０は、Ｓ１２０２で生成した分析結果画面１１００を分析結果画面記憶部１３３に記憶する。
【０１２６】
次に、Ｓ１２０４にて、分析結果画面生成部１５０は、分析結果画面１１００の提供を分析結果画面提供部１６０に要求する。
＜分析結果画面提供処理＞
図１３は、本発明の一実施の形態における分析結果画面提供処理の構成例の概要を示す図である。
【０１２７】
まず、Ｓ１３０１にて、管理サーバ１２０の分析結果画面提供部１６０は、Ｓ１２０４で要求された分析結果画面１１００の提供リクエストを受け付ける。
【０１２８】
次に、Ｓ１３０２にて、分析結果画面提供部１６０は、Ｓ１２０３で記憶された分析結果画面１１００を分析結果画面記憶部１３３から抽出する。
【０１２９】
次に、Ｓ１３０３にて、分析結果画面提供部１６０は、分析結果画面１１００を提供したい事業所ＩＤに対応する事業所情報３００を事業所情報記憶部１３１から抽出する。
【０１３０】
次に、Ｓ１３０４にて、分析結果画面提供部１６０は、Ｓ１３０２で抽出した分析結果画面１１００を事業所端末１９０に提供する。
【０１３１】
次に、Ｓ１３０５にて、事業所端末１９０は、Ｓ１３０４で管理サーバ１２０から提供された分析結果画面１１００を、端末のディスプレイに表示させる。
【０１３２】
次に、Ｓ１３０６にて、分析結果画面提供部１６０は、Ｓ１３０３で抽出した事業所情報３００に含まれる所属ユーザＩＤに対応したユーザ情報２００をユーザ情報記憶部１３０から抽出する。
【０１３３】
次に、Ｓ１３０７にて、分析結果画面提供部１６０は、Ｓ１３０２で抽出した分析結果画面１１００をユーザ端末１１０に提供する。
【０１３４】
次に、Ｓ１３０８にて、ユーザ端末１１０は、Ｓ１３０７で管理サーバ１２０から提供された分析結果画面１１００を、端末のディスプレイに表示させる。
【０１３５】
このようにして、管理サーバ１２０は、ユーザの通院や健康診断に伴う時間や労力のコストを必要とせずに、ユーザの健康状態を把握させることができる。また、管理サーバ１２０は、事業所端末１９０に分析結果画面９００を提供することで、世界中の医療機関と随時情報の交換を行い、遠隔診療を速やかに行うことができる。
＜サービス画面＞
図１４は、本発明の一実施の形態におけるサービス画面１４００の概念を示す図である。
【０１３６】
図１４（ａ）に示されるように、サービス画面１４００は、コメント表示領域１４１０および提案サービスメニュー表示領域１４２０を含む。
【０１３７】
コメント表示領域１４１０は、分析結果３１０に含まれる結果項目４００のうち評価４１０が所定数値、例えば５０未満、である項目が何であるかを知らせるためのコメントを表示させる。また、コメント表示領域１４１０は、分析結果３１０に含まれるサービス生成用項目５００のうちレベル５１０が第一の数値（例えば、「２」）以上であるサービス生成用項目５００について、レベル５１０の数値に応じたコメントを表示させる。なお、コメント表示領域１４１０のコメント表示のさせ方については特に限定されない。
【０１３８】
例えば、コメント表示領域１４１０は、分析結果３１０に含まれる「ストレス度」の評価４１０が「４７」である場合、コメントとして「ストレス度のスコアが低いです」等を表示させる。また、分析結果３１０に含まれる「罹患リスク」のレベル５１０が「２」である場合、コメントとして「疾患〇〇、〇〇の可能性があります」等を表示させる。
【０１３９】
なお、上記コメントに係る〇〇の疾患名は、分析結果３１０の結果項目４００の種類、およびその評価４１０の数値、またユーザの基本データとの組み合わせ、および過去の活動データ２１０からの経緯等によって人工知能（ＡＩ）により自動的に判定される。例えば、結果項目４００のうち「体脂肪率、ストレス度」の評価４１０が「３０、２０」の場合、上記コメントに係る〇〇の疾患名は、「糖尿病」や「脳卒中」と判定される。
【０１４０】
このように、日数が経過するにつれてユーザ情報２００の取得に伴うユーザの活動データ２１０の蓄積量が増え、人工知能（ＡＩ）による判定の正確性が向上するため、管理サーバ１２０は、ユーザからの活動データ２１０の取得、分析、その後のサービス画面１４００の提供等を通じて、ユーザの健康管理についてのＰＤＣＡサイクルを効率よく実現できる。
【０１４１】
提案サービスメニュー表示領域１４２０は、分析結果３１０に含まれる結果項目４００のうち評価４１０が所定数値、例えば５０未満、である項目についての、また、分析結果３１０に含まれるサービス生成用項目５００のうちレベル５１０が第一の数値（例えば、「２」）以上であるサービス生成用項目５００についての問題改善を勧めるための提案サービスメニューを表示させる。なお、提案サービスメニュー表示領域１４２０の表示のさせ方については特に限定されない。
【０１４２】
また、図１４（ｂ）で示されるように、提案サービスメニューは、レベル５１０の数値に応じて、内容が決定される。例えば、サービス生成用項目５００のうち「罹患リスク」のレベル５１０の数値が「２」の場合、提案サービスメニューは、「オンライン問診」や「薬配達」という内容で決定される。
【０１４３】
あるいは、例えば、サービス生成用項目５００のうち「疾患進行度」のレベル５１０の数値が「３」の場合、提案サービスメニューは、「訪問看護」や「見守りサービス」という内容で決定される。
【０１４４】
また、レベル５１０の数値が大きいほどユーザの健康問題について重篤度が高いことを示すため、提案サービスメニューは、分析結果３１０に含まれるサービス生成用項目５００のレベル５１０の数値が大きくなるに従って、健康サービスの高度性や緊急性の高いものを構成する。なお、提案サービスメニューの内容については特に限定されない。
【０１４５】
このように、管理サーバ１２０は、ユーザからの活動データ２１０の取得と同時に活動データ２１０の結果を反映した健康サービスメニューを提供することにより、ユーザの通院や健康診断に伴う時間や労力のコストを低減し、ユーザに日常の健康管理を容易に行わせるための健康サービスを提案することが可能となる。
【０１４６】
また、事業所は、分析した結果生成された罹患リスク・疾患進行度を容易に把握でき、健康問題に対する最適な解決方法を迅速にユーザに提供できる。
【０１４７】
さらに、ユーザは、分析した結果生成された罹患リスク・疾患進行度を容易に把握でき、健康問題に対する最適な解決方法を迅速に把握できる。
＜サービス画面生成処理およびサービス画面記憶処理＞
図１５は、本発明の一実施の形態におけるサービス画面生成処理およびサービス画面記憶処理の概要を示す図である。
【０１４８】
まず、Ｓ１５０１にて、管理サーバ１２０のサービス画面生成部１７０は、Ｓ１００９で要求されたサービス画面１４００の生成リクエストを受け付け、生成に要する分析結果３１０を分析結果記憶部１３２から抽出する。
【０１４９】
次に、Ｓ１５０２にて、サービス画面生成部１７０は、Ｓ１５０１で抽出した分析結果３１０に基づいて、サービス画面１４００を生成する。
【０１５０】
次に、Ｓ１５０３にて、サービス画面生成部１７０は、Ｓ１５０２で生成したサービス画面１４００をサービス画面記憶部１３４に記憶する。
【０１５１】
次に、Ｓ１５０４にて、サービス画面生成部１７０は、サービス画面１４００の提供をサービス画面提供部１８０に要求する。
＜サービス画面提供処理＞
図１６は、本発明の一実施の形態におけるサービス画面提供処理の構成例の概要を示す図である。
【０１５２】
まず、Ｓ１６０１にて、管理サーバ１２０のサービス画面提供部１８０は、Ｓ１５０４で要求されたサービス画面１４００の提供リクエストを受け付ける。
【０１５３】
次に、Ｓ１６０２にて、サービス画面提供部１８０は、Ｓ１５０３で記憶されたサービス画面１４００をサービス画面記憶部１３４から抽出する。
【０１５４】
次に、Ｓ１６０３にて、サービス画面提供部１８０は、サービス画面１４００を提供したい事業所ＩＤに対応する事業所情報３００を事業所情報記憶部１３１から抽出する。
【０１５５】
次に、Ｓ１６０４にて、サービス画面提供部１８０は、Ｓ１６０２で抽出したサービス画面１４００を事業所端末１９０に提供する。
【０１５６】
次に、Ｓ１６０５にて、事業所端末１９０は、Ｓ１６０４で管理サーバ１２０から提供されたサービス画面１４００を、端末のディスプレイに表示させる。
【０１５７】
次に、Ｓ１６０６にて、サービス画面提供部１８０は、Ｓ１６０３で抽出した事業所情報３００に含まれる所属ユーザＩＤに対応したユーザ情報２００をユーザ情報記憶部１３０から抽出する。
【０１５８】
次に、Ｓ１６０７にて、サービス画面提供部１８０は、Ｓ１６０２で抽出したサービス画面１４００をユーザ端末１１０に提供する。
【０１５９】
次に、Ｓ１６０８にて、ユーザ端末１１０は、Ｓ１６０７で管理サーバ１２０から提供されたサービス画面１４００を、端末のディスプレイに表示させる。
【０１６０】
このように、管理サーバ１２０は、ユーザからの活動データ２１０の取得と同時に活動データ２１０の結果を反映した健康サービスメニューを提供することにより、ユーザの通院や健康診断に伴う時間や労力のコストを低減し、ユーザに日常の健康管理を容易に行わせるための健康サービスを提案することが可能となる。
【０１６１】
また、管理サーバ１２０は、事業所端末１９０にサービス画面１４００を提供することで、世界中の医療機関と随時情報の交換を行い、遠隔診療を速やかに行うことができる。さらに、事業所は、分析した結果生成された罹患リスク・疾患進行度を容易に把握でき、健康問題に対する最適な解決方法を迅速にユーザに提供できる。
【０１６２】
また、日数が経過するにつれてユーザ情報２００の取得に伴うユーザの活動データ２１０の蓄積量が増え、人工知能（ＡＩ）による判定の正確性が向上するため、管理サーバ１２０は、ユーザからの活動データ２１０の取得、分析、その後のサービス画面１４００の提供等を通じて、ユーザの健康管理についてのＰＤＣＡサイクルを効率よく実現できる。
【０１６３】
さらに、ユーザは、分析した結果生成された罹患リスク・疾患進行度を容易に把握でき、健康問題に対する最適な解決方法を迅速に把握できる。
＜アラート＞
図１７は、本発明の一実施の形態におけるアラート１７００の概要を示す図である。
【０１６４】
図１７（ａ）に示されるように、アラート１７００は、アラート表示領域１７１０を含む。
【０１６５】
アラート表示領域１７１０は、レベル５１０が第二の数値（例えば、「５」）であるサービス生成用項目５００について、サービス生成用項目５００の種類に応じたコメントを表示させる。なお、アラート表示領域１７１０の表示のさせ方については特に限定されない。
【０１６６】
例えば、アラート表示領域１７１０は、レベル５１０が第二の数値（例えば、「５」）であるサービス生成用項目５００が「罹患リスク」である場合、コメントとして「疾患〇〇の罹患のおそれがあります」等を表示させる。
【０１６７】
なお、上記コメントに係る〇〇の疾患名は、分析結果３１０の結果項目４００の種類、およびその評価４１０の数値、またユーザの基本データとの組み合わせ、および過去の活動データ２１０からの経緯等によって人工知能（ＡＩ）により自動的に判定される。例えば、結果項目４００のうち「体脂肪率、ストレス度」の評価４１０が「３０、２０」の場合、上記コメントに係る〇〇の疾患名は、「糖尿病」や「脳卒中」と判定される。
【０１６８】
図１７（ｂ）に示されるように、アラート１７００は、管理サーバ１２０からユーザ端末１１０に提供される。また、ユーザ端末１１０と計測装置１００がリンク接続されている状態の時、アラート１７００は、計測装置１００の表示部１０１に表示される。この際、計測装置１００は、表示部１０１の背景色が所定色に変化してアラート１７００を表示させる。
【０１６９】
このように、管理サーバ１２０は、計測装置１００から取得したユーザの活動データ２１０の分析を通じて、罹患リスク・疾患進行度が著しく高い場合にアラート１７００をユーザに対し提供することにより、ユーザの通院や健康診断に伴う時間や労力のコストを低減しつつ、健康についての重篤度・緊急性の高いユーザに対し、健康サービスを受けることを促すことができる。
＜アラート生成処理＞
図１８は、本発明の一実施の形態におけるアラート生成処理の概要を示す図である。
【０１７０】
まず、Ｓ１８０１にて、管理サーバ１２０のアラート生成部１８１は、Ｓ１０１１で要求されたアラート１７００の生成リクエストを受け付け、生成に要する分析結果３１０を分析結果記憶部１３２から抽出する。
【０１７１】
次に、Ｓ１８０２にて、アラート生成部１８１は、Ｓ１８０１で抽出した分析結果３１０に基づいて、アラート１７００を生成する。
【０１７２】
次に、Ｓ１８０３にて、アラート生成部１８１は、Ｓ１８０２で生成したアラート１７００の提供をアラート提供部１８２に要求する。
＜アラート提供処理＞
図１９は、本発明の一実施の形態におけるアラート提供処理の概要を示す図である。
【０１７３】
まず、Ｓ１９０１にて、管理サーバ１２０のアラート提供部１８２は、Ｓ１８０３で要求されたアラート１７００の提供リクエストを受け付ける。
【０１７４】
次に、Ｓ１９０２にて、アラート提供部１８２は、アラート１７００を提供したい事業所ＩＤに対応する事業所情報３００を事業所情報記憶部１３１から抽出する。
【０１７５】
次に、Ｓ１９０３にて、アラート提供部１８２は、Ｓ１９０２で抽出したアラート１７００を事業所端末１９０に提供する。
【０１７６】
次に、Ｓ１９０４にて、事業所端末１９０は、Ｓ１９０３で管理サーバ１２０から提供されたアラート１７００を、端末のディスプレイに表示させる。
【０１７７】
次に、Ｓ１９０５にて、アラート提供部１８２は、Ｓ１９０２で抽出した事業所情報３００に含まれる所属ユーザＩＤに対応したユーザ情報２００をユーザ情報記憶部１３０から抽出する。
【０１７８】
次に、Ｓ１９０６にて、アラート提供部１８２は、Ｓ１９０２で抽出したアラート１７００をユーザ端末１１０に提供する。
【０１７９】
次に、Ｓ１９０７にて、ユーザ端末１１０は、Ｓ１９０６で管理サーバ１２０から提供されたアラート１７００を、端末のディスプレイに表示させる。
【０１８０】
次に、Ｓ１９０８にて、ユーザ端末１１０は、リンク状態が「Ｏｎ」であるか否かを判定する。リンク状態が「Ｏｆｆ」である場合、ユーザ端末１１０は、本行程を終了する。リンク状態が「Ｏｎ」である場合、ユーザ端末１１０は、工程Ｓ１９０９へ進行する。
【０１８１】
Ｓ１９０９にて、ユーザ端末１１０は、提供されたアラート１７００をリンク接続している計測装置１００に送信する。
【０１８２】
Ｓ１９１０にて、計測装置１００は、表示部１０１の背景色を所定の色に変化させてアラート１７００を表示させる。
【０１８３】
このように、計測装置１００は、表示部１０１の背景色を所定の色に変化させてアラート１７００を表示させることにより、ユーザに対し、ユーザの健康についての重篤度・緊急性の高さをより強く印象付けることができる。また、管理サーバ１２０は、事業所端末１９０にアラート１７００を提供することで、世界中の医療機関と随時情報の交換を行い、遠隔診療を速やかに行うことができる。
＜本実施の形態の効果＞
【０１８４】
以上説明した本発明の実施の形態によれば、管理サーバ１２０は、ユーザからの活動データ２１０の取得と同時に活動データ２１０の結果を反映した健康サービスメニューを提供することにより、ユーザの通院や健康診断に伴う時間や労力のコストを低減し、ユーザに日常の健康管理を容易に行わせるための健康サービスを提案することが可能となる。
【０１８５】
また、日数が経過するにつれてユーザ情報２００の取得に伴うユーザの活動データ２１０の蓄積量が増え、人工知能（ＡＩ）による判定の正確性が向上するため、管理サーバ１２０は、ユーザからの活動データ２１０の取得、分析、その後のサービス画面１４００の提供等を通じて、ユーザの健康管理についてのＰＤＣＡサイクルを効率よく実現できる。
【０１８６】
また、管理サーバ１２０は、ユーザの活動データ２１０の分析を通じ算出した罹患リスク・疾患進行度の重篤度が、例えば、著しく高い場合にアラート１７００を提供し、重篤度に関わらず見守りサービスや薬配達等を提供することにより、ユーザの通院や健康診断に伴う時間や労力のコストを低減しつつ、健康についての重篤度に応じた最適な健康サービスをユーザに提供できる。
【０１８７】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、顧客端末は、スマートフォン以外にも、ノート型ＰＣや、タブレット端末等の様々な形態の顧客端末を全て含むものである。
【０１８８】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１８９】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１９０】
１００…計測装置
１１０…ユーザ端末
１２０…管理サーバ
１３０…ユーザ情報記憶部
１３１…事業所情報記憶部
１３２…分析結果記憶部
１３３…分析結果画面記憶部
１３４…サービス画面記憶部
１３５…ビッグデータ記憶部
１４０…活動データ分析部
１５０…分析結果画面生成部
１６０…分析結果画面提供部
１７０…サービス画面生成部
１８０…サービス画面提供部
１９０…事業所端末
１１００…分析結果画面
１４００…サービス画面
１７００…アラート
【要約】      （修正有）【課題】ユーザからの活動データの取得と同時に活動データの結果を反映した健康サービスメニューを提供することで、ユーザの通院や健康診断に伴う時間や労力のコストを低減し、ユーザに日常の健康管理を容易に行わせる健康サービスを提供する。【解決手段】健康サービス提供システムにおいて、管理サーバは、ユーザ端末と、事業所端末と、ビッグデータ記憶部と、ユーザ端末、事業所端末及びビッグデータ記憶部とネットワークを介して無線通信接続される管理サーバであって、計測装置と接続されたユーザ端末から活動データを含むユーザ情報を取得及び記憶し、ユーザ情報及び活動データと、ビッグデータ記憶部に記憶されている平均数値情報とに基づいて、活動データの各項目に対応する結果項目ごとに評価を算出し、算出した評価に基づいて分析結果を生成する活動データ分析部と、生成された分析結果に基づいて分析結果画面を生成する分析結果画面生成部を有する。【選択図】図１【図１】
0006923233.tif 000002
【図２】
0006923233.tif 000003
【図３】
0006923233.tif 000004
【図４】
0006923233.tif 000005
【図５】
0006923233.tif 000006
【図６】
0006923233.tif 000007
【図７】
0006923233.tif 000008
【図８】
0006923233.tif 000009
【図９】
0006923233.tif 000010
【図１０】
0006923233.tif 000011
【図１１】
0006923233.tif 000012
【図１２】
0006923233.tif 000013
【図１３】
0006923233.tif 000014
【図１４】
0006923233.tif 000015
【図１５】
0006923233.tif 000016
【図１６】
0006923233.tif 000017
【図１７】
0006923233.tif 000018
【図１８】
0006923233.tif 000019
【図１９】
0006923233.tif 000020